(57)【要約】【課題】ダストボックスに溜まったゴミの量を現実に即してより的確に判断し、ダストボックスのメンテナンス時期の到来を適切なタイミングで告知する。【解決手段】ダストボックス２０に溜まるゴミの量を判断しその量が予め設定されたメンテナンス基準量に達したときメンテナンス信号を出力する判断手段と、判断手段からのメンテナンス信号を受けてダストボックス２０のメンテナンスを告知する告知手段を備える。係る構成によれば、ダストボックス２０に溜まるゴミの量を判断し、この判断に基づいてメンテナンスの告知を行なうことから、例えば、空調運転の運転積算時間からフィルタに溜まったゴミの量を推測しこれに基づいてダストボックスのメンテナンスの告知を行なう場合のようなフィルタの掃除頻度の高低による不適切な判断が生じず、ダストボックス２０のメンテナンスの告知、及びこれに基づくメンテナンスをより適切なタイミングで行なうことができる。【選択図】図２
2008082566.tif 000002
【特許請求の範囲】
【請求項１】
ケーシング（１）に形成された吸込口（３）から吹出口（４）に至る通風路内に、熱交換器（７）とファン（８）を配置した空調機構（X）と、上記吸込口（３）の内面に沿って配置された板状形体をもつフィルタ（１３）の表面に付着したゴミをダストボックス（２０）内に捕集するようにした掃除機構（Y）を備えてなる空気調和機であって、
上記ダストボックス（２０）に溜まるゴミの量を判断しその量が予め設定されたメンテナンス基準量に達したときメンテナンス信号を出力する判断手段と、
上記判断手段からのメンテナンス信号を受けて上記ダストボックス（２０）のメンテナンスを告知する告知手段を備えたことを特徴とする空気調和機。
【請求項２】
請求項１において、
上記判断手段は、上記掃除機構（Y）の動作回数に基づいて上記ダストボックス（２０）内のゴミの量を判断する構成であることを特徴とする空気調和機。
【請求項３】
請求項１において、
上記メンテナンス基準量が上記掃除機構（Y）の動作回数で規定されることを特徴とする空気調和機。
【請求項４】
請求項１、２又は３において、
上記判断手段は、上記掃除機構（Y）の動作間隔を考慮して上記ダストボックス（２０）内のゴミの量を判断することを特徴とする空気調和機。
【請求項５】
請求項４において、
上記掃除機構（Y）の動作間隔が複数設定される場合、該複数の動作間隔のそれぞれに対応して上記メンテナンス基準量も複数設定されることを特徴とする空気調和機。
【請求項６】
請求項１、２、３、４又は５において、
上記メンテナンス基準量が、上記掃除機構（Y）の動作を、上記告知を受けて自動で行なう自動動作時と、上記告知を受けて手動で行なう手動動作時で異なる量に設定されることを特徴とする空気調和機。
【発明の詳細な説明】
【技術分野】
【０００１】
本願発明は、空調機構に、フィルタの掃除機構を付加してなる空気調和機に関するものである。
【背景技術】
【０００２】
従来から、フィルタを自動的に掃除する掃除機構を備えた空気調和機が知られている（特許文献１参照）。この空気調和機におけるフィルタの掃除機構は、空気吸入口の内面に沿って往復動自在に配置された板状のフィルタを、該フィルタの移動経路中に配置したダストボックス内を通過させるとともに、該ダストボックス内において該フィルタの表裏両面に配置したブラシによって、該フィルタの表面に付着したゴミを除去することで該フィルタの機能再生を図るようにしたものである。そして、ダストボックス内に溜まったゴミの量が多くなると、該ダストボックスを取外してゴミを捨てた後、再度これを装着するメンテナンス作業が必要となる。
【０００３】
この場合、メンテナンス作業の必要性を判断するには、ダストボックスに溜まるゴミの量を直接検知するのが最善な手法であるが、係る手法では、ゴミの特性等から、特殊なセンサを必要とするなど、コスト面等からして実現は困難である。
【０００４】
このため、次善策として、上掲特許文献１に示された空気調和機では、空調運転の運転積算時間（即ち、フィルタにおける積算通風時間）に基づいてフィルタに溜まるゴミの量を推測することを基本思想とし、その上で、運転積算時間が所定値以上となったときには、ダストボックスにも所定量以上のゴミが溜まっておりメンテナンスが必要であると判断する手法が提案されている。
【０００５】
【特許文献１】特開２００４−１０１１０１号公報。
【発明の開示】
【発明が解決しようとする課題】
【０００６】
しかし、フィルタに溜まるゴミの量は空調運転の運転積算時間と必ずしも相関するものではなく、例えば、フィルタを掃除する頻度によって大きく変化するものである。
【０００７】
即ち、フィルタの掃除頻度が高ければ、ゴミによるフィルタの目詰まりが少なく、フィルタは常に設計性能に近いフィルタ機能を発揮し、予定された以上に細かいゴミは捕集されない。これに対して、フィルタの掃除頻度が低ければ、ゴミによるフィルタの目詰まりが多くなり、その結果、フィルタは本来予定された以上に細かいゴミまで捕集することとなり、その分だけフィルタに溜まるゴミの量が多くなるものである。
【０００８】
従って、単に、空調運転の運転積算時間に基づいてダストボックスのメンテナンス時期を判断したのでは、現実に即した適切は判断ができず、例えば、ダストボックスに溜まったゴミの量が少ないにも拘らずメンテナンス時期の到来を告知したり、逆にダストボックスに多量のゴミが溜まっているにも拘らずメンテナンス時期の到来を告知せず、場合によってはダストボックスから室内にゴミが飛散して室内環境の悪化を招来するということも考えられる。
【０００９】
そこで本願発明は、ダストボックスに溜まったゴミの量を現実に即してより的確に判断してダストボックスのメンテナンス時期の到来を適切なタイミングで告知し、もってフィルタ掃除機能を備えた空気調和機の機能維持を図ることを目的としてなされたものである。
【課題を解決するための手段】
【００１０】
本願発明ではかかる課題を解決するための具体的手段として次のような構成を採用している。
【００１１】
本願の第１の発明では、ケーシング１に形成された吸込口３から吹出口４に至る通風路内に、熱交換器７とファン８を配置した空調機構Xと、上記吸込口３の内面に沿って配置された板状形体をもつフィルタ１３の表面に付着したゴミをダストボックス２０内に捕集するようにした掃除機構Yを備えてなる空気調和機において、上記ダストボックス２０に溜まるゴミの量を判断しその量が予め設定されたメンテナンス基準量に達したときメンテナンス信号を出力する判断手段と、上記判断手段からのメンテナンス信号を受けて上記ダストボックス２０のメンテナンスを告知する告知手段を備えたことを特徴としている。
【００１２】
本願の第２の発明では、上記第１の発明に係る空気調和機において、上記判断手段が、上記掃除機構Yの動作回数に基づいて上記ダストボックス２０内のゴミの量を判断する構成であることを特徴としている。
【００１３】
本願の第３の発明では、上記第１の発明に係る空気調和機において、上記メンテナンス基準量を上記掃除機構Yの動作回数で規定することを特徴としている。
【００１４】
本願の第４の発明では、上記第１、第２又は第３の発明に係る空気調和機において、上記判断手段が、上記掃除機構Yの動作間隔を考慮して上記ダストボックス２０内のゴミの量を判断することを特徴としている。
【００１５】
本願の第５の発明では、上記第４の発明に係る空気調和機において、上記掃除機構Yの動作間隔が複数設定される場合、該複数の動作間隔のそれぞれに対応して上記メンテナンス基準量も複数設定されることを特徴としている。
【００１６】
本願の第６の発明では、上記第１、第２、第３、第４又は第５の発明に係る空気調和機において、上記メンテナンス基準量を、上記告知を受けて自動で行なう自動動作時と、上記告知を受けて手動で行なう手動動作時で異なる量に設定することを特徴としている。
【発明の効果】
【００１７】
本願発明では次のような効果が得られる。
【００１８】
（ａ）本願の第１の発明に係る空気調和機では、上記ダストボックス２０に溜まるゴミの量を判断しその量が予め設定されたメンテナンス基準量に達したときメンテナンス信号を出力する判断手段と、上記判断手段からのメンテナンス信号を受けて上記ダストボックス２０のメンテナンスを告知する告知手段を備えている。
【００１９】
従って、この発明の空気調和機によれば、上記判断手段により上記ダストボックス２０に溜まるゴミの量を判断し、この判断に基づいて上記告知手段がメンテナンスを告知することから、例えば、従来のように、空調運転の運転積算時間からフィルタに溜まったゴミの量を推測し、これに基づいてダストボックスのメンテナンスを告知する構成のように、フィルタの掃除頻度の高低による不適切な判断が生じないことから、ダストボックス２０のメンテナンスの告知をより適切なタイミングで行なうことができ、その結果、不必要なメンテナンスの実行に伴い空調運転が停止されることによる室内空調の快適性の低下とか、ダストボックス２０にゴミが過度に溜まってゴミが室内へ飛散することによる室内環境の悪化等が防止され、それだけ空気調和機の性能特性の向上が期待できる。
【００２０】
（ｂ）本願の第２の発明に係る空気調和機によれば、上記判断手段が、上記掃除機構Yの動作回数に基づいて上記ダストボックス２０内のゴミの量を判断するように構成しているので、上記掃除機構Yの１回の動作によって上記ダストボックス２０側に捕集されるゴミの量と、該掃除機構Yの動作回数との相関から、上記ダストボックス２０内のゴミの量を判断してメンテナンスの告知を行なうことができ、例えば、従来のように、空調運転の運転積算時間からフィルタに溜まったゴミの量を推測し、これに基づいてダストボックスのメンテナンスの告知を行なう構成の場合に比して、上記ダストボックス２０内のゴミの量の判断ロジックがより簡略化され、延いては、掃除機構Yの低コスト化が促進される。
【００２１】
（ｃ）本願の第３の発明に係る空気調和機によれば、上記メンテナンス基準量を上記掃除機構Yの動作回数で規定しているので、上記ダストボックス２０内のゴミの量の判断と、メンテナンス基準量に基づくメンテナンス告知の判断との対応が明確であり、その結果、より簡略化された判断ロジックで正確にメンテナンスを告知することができ、上記（a）又は（ｂ）に記載の効果が更に確実ならしめられる。
【００２２】
（ｄ）本願の第４の発明に係る空気調和機によれば、上記判断手段が、上記掃除機構Yの動作間隔を考慮して上記ダストボックス２０内のゴミの量を判断する構成であるため、上記掃除機構Yの動作間隔と該掃除機構Yの１回の動作で上記フィルタ１３側から上記ダストボックス２０側に捕集されるゴミの量との間には、上記掃除機構Yの動作間隔が短い場合は上記ダストボックス２０側に捕集されるゴミの量が少なく、動作間隔が長い場合はゴミの量が多くなるという関係があることからして、上記掃除機構Yの動作間隔の長短による影響を可及的に排除して、上記ダストボックス２０に実際に溜まっているゴミの量をより精度良く検知することができ、その結果、上記（a）、（ｂ）又は（ｃ）に記載の効果がより一層実効あらしめられる。
【００２３】
（e）本願の第５の発明に係る空気調和機によれば、上記掃除機構Yの動作間隔が複数設定される場合、該複数の動作間隔のそれぞれに対応して上記メンテナンス基準量も複数設定されるように構成しているので、例えば、空気調和機の使用者が上記掃除機構Yの動作間隔として、１日に１回の掃除運転と、１週に１回の掃除運転とをそれぞれ設定している場合に、上記メンテナンス基準量として、前者に対応する上記掃除機構Yの動作回数を、後者に対応する動作回数より多い回数に設定することで、使用者の要求に対応した精度の良いメンテナンスの告知が実現され、上記（ｄ）に記載の効果がより一層促進される。
【００２４】
（ｆ）本願の第６の発明に係る空気調和機によれば、上記（a）、（ｂ）、（ｃ）、（ｄ）又は（e）に記載の効果に加えて、以下のような特有の効果が得られる。即ち、この第６の発明に係る空気調和機では、上記メンテナンス基準量を、上記告知を受けて自動で行なう自動動作時（即ち、上記掃除機構Yの１回の動作で上記ダストボックス２０側に捕集されるゴミの量が安定しているとき）と、上記告知を受けて手動で行なう手動動作時（即ち、上記掃除機構Yの１回の動作で上記ダストボックス２０側に捕集されるゴミの量が上記告知に基づく手動での掃除の実行頻度等によって変化し易いとき）で、異なる量に設定するようにしているので、上記掃除機構Yの操作形態に適応したメンテナンスの告知が実現される。
【発明を実施するための最良の形態】
【００２５】
以下、本願発明を好適な実施形態に基づいて具体的に説明する。
【００２６】
図１及び図２には、本願発明の実施形態に係る空気調和機Zが示されている。この空気調和機Ｚは、セパレート型空気調和機の室内機であって、室内壁面に取付けられる横長箱状のケーシング１を備えている。また、上記ケーシング１の前面壁１Aと天面壁１Bにはそれぞれ前面吸込口３Aと上面吸込口３Bが設けられている。また、上記前面吸込口３Aの前面側には、前面パネル２が設けられている。
【００２７】
この前面パネル２は、図１及び図２においてそれぞれ実線図示するように、上記前面吸込口３Aに接近して該前面吸込口３Aを目隠しする閉位置と、同各図においてそれぞれ鎖線図示するように、上記閉位置から下方へ移動しつつその上端側を前方へ押し出した前傾状態の開位置の間で開閉可能とされ、該開位置において上記前面吸込口３Aを開口するように構成されている。
【００２８】
また、上記ケーシング１の底面壁１Cの前後方向中間位置には、横長開口状の吹出口４が設けられているとともに、該吹出口４には水平フラップ４４と垂直フラップ４５が備えられている。
【００２９】
さらに、上記ケーシング１の上記吹出口４よりも前方側で、且つ上記前面壁１Aの下端に近接する位置に設けた収納部３０内には、後述するダストボックス２０を備えたブラシ機構Ｑが着脱自在に装着されている。
【００３０】
そして、図２に示すように、上記ケーシング１内の上記吸込口３から上記吹出口４に至る通風路には熱交換器７とファン８が収容され、これらによって空調機構Xが構成されている。尚、上記熱交換器７は、上記吸込口３に離間対向して上下方向へ延びる第１熱交換器７Ａと、該第１熱交換器７Ａの上端に連結されてここから背面壁１E側へ下降傾斜する第２熱交換器７Ｂとからなる略山形の屈曲形体を有している。
【００３１】
一方、上記ケーシング１の上記前面吸込口３Aと上記第１熱交換器７Ａの前面との間の前面側スペースと、上記第１熱交換器７Ａと第２熱交換器７Ｂの上部と上記上面吸込口３Bとの間の上面側スペースには、これら両スペースに跨って次述する掃除機構Yが配置されている。
【００３２】
上記掃除機構Yは、図２〜図４に示すように、反対勝手に形成された左右一対のケーシング体１４Ａ、１４Bを、その幅方向に連結一体化して構成されるものであって、この一体化状態において、上記ケーシング１の前面吸込口３Aから上面吸込口３Bの内面に沿うように湾曲した側面視形体を有している。即ち、上記各ケーシング体１４Ａ、１４Bは、共に、湾曲した側面視形体をもつ左右一対の側壁部１５，１６と、これら各側壁部１５，１６の間を格子材で連結して一体化した枠状形体をもち、第１ケーシング体１４Ａの側壁部１６と、第２ケーシング体１４Bの側壁部１６同士を衝合させた状態で連結することで上記掃除ユニットケーシング１４が構成されている。
【００３３】
また、上記各ケーシング体１４Ａ、１４Bの上記各側壁部１５，１６の内側縁のうち、上記ケーシング１の上記上面吸込口３Bに対応する部分には、それぞれガイド溝１５a,１６aが設けられている。一方、上記各ケーシング体１４Ａ、１４Bのうち、上記ケーシング１の前面吸込口３Ａに対応する前面部分のそれぞれには、これをその外側（前面側）から覆うようにして、枠状のフィルタ押さえ４３が、その上縁側を回動中心として前後方向へ回動可能に取付けられている。
【００３４】
そして、上記掃除ユニットケーシング１４の上記各ケーシング体１４Ａ、１４Bの前面側には、それぞれこれを覆うようにして、格子状の枠体１３aの内側にフィルタ１材１３ｂを張設してなる板状のフィルタ１３（図６参照）が配置される。この場合、上記フィルタ１３は、上記各ケーシング体１４Ａ、１４Bの上面側においては、その左右両縁部を上記一方の側壁部１５のガイド溝１５aと他方の側壁部１６のガイド溝１６aに嵌入させており、該各ガイド溝１５a、１６aにガイドされて上記各ケーシング体１４Ａ、１４Bの湾曲方向に沿って移動可能とされている。また、上記フィルタ１３は、上記各ケーシング体１４Ａ、１４Bの前面部分においては、上記フィルタ押さえ４３によって浮き上がりが防止されるようになっている。
【００３５】
上記フィルタ１３は、図２、図４及び図５に示すように、その前端１３ｃが、上記各ケーシング体１４Ａ、１４Bの前面部分において、上下方向に離間して平行配置された第１プーリ１１と第２プーリ１２の間に掛け回されたベルト１０に係止され、該ベルト１０の走行に伴ってこれと一体的に移動される。
【００３６】
即ち、上記フィルタ１３は、図２及び図３に示すように、その後端１３aが上記掃除ユニットケーシング１４の後端部に位置し、その前端が上記第１プーリ１１の近傍に位置するような配置状態を基本とする。この配置状態は、通常の空調運転時における位置であり、以下、「第１フィルタ位置」という。
【００３７】
これに対して、上記フィルタ１３の掃除を行なう掃除運転時には、上記第１プーリ１１が正転し、上記ベルト１０が矢印a方向へ走行し、上記フィルタ１３は図４に鎖線図示するように、該ベルト１０とともに上記「第１フィルタ位置」から上記第１プーリ１１の外側を迂回して上記第２プーリ１２側まで引き出される。この時のフィルタ１３の位置を「第２フィルタ位置」という。また、上記第１プーリ１１が逆転し上記ベルト１０が矢印ｂ方向へ走行することで、上記フィルタ１３は該ベルト１０とともに上記「第２フィルタ位置」から「第１フィルタ位置」まで戻される。
【００３８】
このように、上記フィルタ１３が上記「第１フィルタ位置」と「第２フィルタ位置」の間で往復動する際に、次述のブラシ機構Ｑによって上記フィルタ１３の表面に捕集されたゴミが掻き落とされ、該フィルタ１３のゴミ捕集機能が再生されるものである。
【００３９】
ここで、上記フィルタ１３の駆動機構を更に詳しく説明する。この駆動機構は、図５に示すように、上下方向に離間配置された歯付きの第１プーリ１１と第２プーリ１２間に歯付きのベルト１０を掛け回したベルトユニットUを、上記各プーリ１１，１２の軸方向に所定間隔（具体的には、上記ケーシング体１４Ａ、１４Bの略幅寸法）をもって対向配置するとともに、一方のベルトユニットUの第１プーリ１１と他方のベルトユニットUの第１プーリ１１の間をローラ３３によって連結しこれを一体化するとともに、一方のベルトユニットUの第２プーリ１２と他方のベルトユニットUの第２プーリ１２の間を連結軸３８によって連結しこれを一体化して構成せれる。そして、一方のベルトユニットUの第１プーリ１１をフィルタ駆動モータ３１によって正転方法及び逆転方向へ選択的に回転駆動することで、上記各ベルトユニットU、Uにそれぞれ設けられた上記各ベルト１０，１０が同期して走行するようになっている。
【００４０】
この場合、上記ベルト１０には、所定ピッチで、ベルト長さ方向に長軸をもつ係止穴４７が形成されている。また、上記フィルタ１３の枠材１３aの左右両側部の下面には、上記ベルト１０側の上記係止穴４７と同ピッチで係止突起４８が設けられており、該フィルタ１３側の上記係止突起４８を上記ベルト１０側の上記係止穴４７に係入させることで、該フィルタ１３は上記ベルト１０と一体化され、該ベルト１０の往復走行に伴って上記「第１フィルタ位置」と上記「第２フィルタ位置」の間で往復動される。
【００４１】
上記ブラシ機構Ｑは、図１〜図４に示すように、上記ケーシング１の底面壁１Cの前端部分に設けた収納部３０に対して着脱自在に取付けられる。このブラシ機構Ｑは、図４及び図７に示すように、第１ボックス体２１と第２ボックス体２２からなり、上記第１プーリ１１の外周面に対向する上面部分が開口２０aとされた横長箱状形体のダストボックス２０内に、掃除ブラシ１７を上記開口２０aに沿って配置して構成される。
【００４２】
上記掃除ブラシ１７は、ブラシ軸１８の外周面の周方向の４位置に、該ブラシ軸１８の軸方向へ延出するようにしてそれぞれブラシ１９を取付けて構成される。この場合、この実施形態では、上記掃除ブラシ１７の軸長を、上記ダストボックス２０の長手寸法の略半分の寸法に設定し、二本の掃除ブラシ１７、１７を同軸上に連結して使用するようにしている。
【００４３】
このように構成された一対の掃除ブラシ１７，１７を、図７に示すように、上記ダストボックス２０に配置し、その一方の軸端に設けたブラシ駆動ギヤ２４をブラシ駆動モータ（図示省略）によって回転駆動するようになっている。尚、図７では、上記ダストボックス２０の一端側に押釦２３を図示しているが、この押釦２３は上記収納部３０側に取付けられるものであり、ここでは上記ブラシ機構Ｑとの位置関係を明確にするために便宜的に図示したものである。
【００４４】
図４には、上記ブラシ機構Ｑを上記ケーシング１側の収納部３０に装着した状態を示している。この状態では、上記ダストボックス２０の上記開口２０aが、上記第１プーリ１１に巻き掛けられた上記ベルト１０に臨むとともに、該開口２０aを通して上記掃除ブラシ１７の回転軌跡が上方へ延出し、該回転軌跡の最高位部位と上記ベルト１０の外面の最低位部位とが略合致するように、これらの相対位置が設定されている。
【００４５】
従って、掃除運転において、上記フィルタ１３が上記第１プーリ１１に巻き掛けられた上記ベルト１０とともに該第１プーリ１１の外周側を迂回して「第１フィルタ位置」と「第２フィルタ位置」の間で往復動される際、上記掃除ブラシ１７を回転させることで、該掃除ブラシ１７のブラシ１９によって上記フィルタ１３の表面が撫掻され、該フィルタ１３の表面に付着しているゴミが該表面から掻き取られ、上記ダストボックス２０内に捕集される。この結果、上記フィルタ１３は、その表面が清浄化され、そのゴミ捕集機能が再生されるものである。
【００４６】
また、この場合、図４に示すように、上記掃除ブラシ１７の回転軌跡が上記ダストボックス２０内に設けた延出リブ２０ｂの先端部分と重合していることから、上記掃除ブラシ１７の回転時には上記ブラシ１９の先端部分が上記延出リブ２０ｂに接触し、該ブラシ１９側に付着しているゴミが掻き落とされる。この結果、上記ブラシ１９の掻き取り機能が再生され、例えば、フィルタ１３側からブラシ１９によって掻き取られたゴミがそのまま該ブラシ１９側に残留して上記フィルタ１３の既に掃除された部分に再付着するというような不都合が回避される。
【００４７】
ところで、上記ブラシ機構Ｑにおいては、上記掃除ブラシ１７のブラシ１９によって上記フィルタ１３側から掻き落としたゴミを上記ダストボックス２０内に捕集するが、このダストボックス２０内に捕集されたゴミの量が多くなると、このゴミが上記ケーシング１とダストボックス２０の隙間から室内へ飛散して室内環境を悪化させる虞があることから、その場合には、上記ダストボックス２０を上記収納部３０側から取り出してゴミを捨て、再度、これを上記収納部３０に再装着するメンテナンス作業が必要となる。
【００４８】
しかし、このメンテナンス作業は、その実行タイミングが重要で、例えば、上記ダストボックス２０に溜まったゴミの量が少ない状態においてメンテナンス作業が頻繁に行なわれると、該作業中は空調運転が停止されることから、空調の快適性が損なわれることになる。また、逆に、上記ダストボックス２０内に多量のゴミがたまっているにも拘らずメンテナンス作業が行なわれないと、ゴミの飛散による室内環境の悪化を招く等のことは、既述の通りである。
【００４９】
そこで、この実施形態では、本願発明を適用して、上記ダストボックス２０内に溜まったゴミの量を適正に検知し、その量が予め設定したメンテナンス基準量に達したときには、これを告知して、メンテナンス作業の実行を喚起するようにしている。
【００５０】
ここで、このダストボックス２０のメンテナンスの告知制御の基本思想であるが、この実施形態では、
（１）  上記ダストボックス２０内のゴミの量の判断ロジックをより簡略化すべく、該ダストボックス２０内のゴミの量を、上記掃除機構Yの動作回数（即ち、掃除運転の実行回数）によって判断する、
（２）上記ダストボックス２０内のゴミの量の判断と、メンテナンス基準量に基づくメンテナンス告知の判断との対応を明確にして、より簡略化された判断ロジックで正確にメンテナンス告知を行なうべく、メンテナンス基準量も、上記掃除機構Yの動作回数で規定する、
（３）  上記掃除機構Yの動作間隔と該掃除機構Yの１回の動作で上記ダストボックス２０側に捕集されるゴミの量との間の相関関係に着目し、上記ダストボックス２０内のゴミの量をより精度良く検知すべく、上記ダストボックス２０内のゴミの量の判断に際して、上記掃除機構Yの動作間隔（即ち、掃除運転の頻度）を考慮する、
（４）  掃除運転に対する使用者の要求に的確に対応して精度の良いメンテナンス告知を実現すべく、上記掃除機構Yの動作間隔が複数設定される場合には、これら各動作間隔に対応してメンテナンス基準量も複数設定する、
（５）  上記掃除機構Yの操作形態に対応したメンテナンス告知を実現すべく、メンテナンス基準量を、掃除運転が自動で定期的に行われる場合と、手動で不定期に行なわれる場合とにおいて、異なる値に設定する、
ことをメンテナンス告知制御における基本思想としている。
【００５１】
以下、これらの基本思想の下での制御の実際を説明するが、それに先立って、先ず、図８を参照して、上記空気調和機Ｚの制御系の構成を説明する。
【００５２】
この空気調和機Ｚでは、制御部として、室内機制御部１５１と室外機制御部１５２と空調機構Xを制御する空調機構制御部１５３と掃除機構Yを制御する掃除機構制御部１５４と加湿・換気制御部１５５を備えている。
【００５３】
上記室内機制御部１５１には、空調運転制御部１５１aと掃除機構異常判定部１５１ｂと掃除機構初期化処理部１５１ｃとフィルタ掃除時期判定部１５１ｄと掃除機構制御部１５１eとダストボックスメンテナンス判定部１５１ｆが設けられている。
【００５４】
上記空調機構制御部１５３には、前面パネル駆動部１５３aと水平フラップ駆動部１５３ｂと垂直フラップ駆動部１５３ｃとファン駆動部１５３ｄが設けられている。
【００５５】
上記掃除機構制御部１５４には、ブラシ駆動部１５４aとフィルタ駆動部１５４ｂとフィルタ位置検知部１５４ｃとダストボックス検知部１５４ｄ及び掃除機構動作検知部１５４ｅが設けられている。
【００５６】
また、上記室内機制御部１５１は、リモコン１５６と本体運転スイッチ１５７によって操作されるとともに、表示部１５８とブザー１５９及び遠隔操作装着６０が付設されている。
【００５７】
ここで、上記ダストボックス２０のメンテナンスとの関係でその制御が問題となるのは、上記室内機制御部１５１と上記掃除機構制御部１５４の掃除機構動作検知部１５４ｅ、表示部１５８、ブザー１５９及び遠隔操作装置１６０であり、ここではこれらについてのみ説明し、これ以外の制御部の説明は省略する。
【００５８】
この実施形態では、上記掃除機構動作検知部１５４ｅにおいて、掃除機構Yの動作回数を検知する。そして、上記室内機制御部１５１の上記ダストボックスメンテナンス判定部１５１ｆでは、上記掃除機構動作検知部１５４ｅからの動作回数信号を受け、その動作回数からダストボックス２０内に溜まっているゴミの量を判断し、このゴミの量とメンテナンス基準量に対応するゴミの量とを比較し、ダストボックス２０のメンテナンスが必要な時期に至っているかどうかを判定する。即ち、この実施形態では、上記ダストボックスメンテナンス判定部１５１ｆが、特許請求の範囲中の「判定手段」に該当する。
【００５９】
ここで、既にメンテナンスが必要な時期に至っていると判断された場合には、このことが、上記表示部１５８における表示、上記ブザー１５９での警報音、及び上記遠隔操作装置１６０への表示等によって、それぞれ告知される。即ち、この実施形態では、上記表示部１５８と上記ブザー１５９及び上記遠隔操作装置１６０が特許請求の範囲中の「告知手段」に該当する。なお、この告知手段としては、上記表示部１５８、上記ブザー１５９及び上記遠隔操作装置１６０の他に、例えば、双方向通信を行なうことができるワイヤレスリモコンとかワイヤードリモコンを用いてこれらに表示、点灯等で告知することも考えられる。
【００６０】
このメンテナンス告知を受けた操作者は、上記ダストボックス２０のメンテナンス、即ち、該ダストボックス２０を空気調和機Ｚ側から取外して、内部に溜まったゴミを捨て、再度これを空気調和機Ｚに装着する作業を行なう。
【００６１】
以上の制御を、図９に示すフローチャートを参照して、より具体的に説明する。
【００６２】
制御開始後、先ずステップS１において、掃除機構Yの現時点までの累積動作回数「Ｎｔ」を読み込む。次に、ステップＳ２において、現在の掃除機構Yの動作形態（即ち、掃除運転の操作形態）が自動動作であるのか、手動動作であるのかを判定する。
【００６３】
ここで、自動動作とは、上記掃除機構Yの掃除運転が定期的に自動で行なわれるように設定された動作形態である。また、手動動作とは、操作者の手動操作によって上記掃除機構Yの掃除運転が不定期に行なわれるように設定された動作形態である。即ち、手動動作の場合には、定期的に操作者に対して掃除の奨励を告知はするが、その告知を認識した操作者が自己の判断に基づいてリモコン操作等で掃除を実行するものであるため、必ずしも定期的に掃除が行なわれるとは言えない。
【００６４】
そして、自動動作の場合には、上記掃除機構Yの１回の動作で上記ダストボックス２０側に捕集されるゴミの量が比較的安定しているが、手動動作の場合には、上記掃除機構Yの１回の動作で上記ダストボックス２０側に捕集されるゴミの量は安定せず変動し易い。そこで、ここでは、自動動作の場合と手動動作の場合におけるゴミの量の相違を考慮して、自動動作の場合におけるメンテナンス告知の判断基準と、手動動作の場合におけるメンテナンス告知の判断基準を異ならせている。
【００６５】
ステップＳ２において、現在は自動動作であると判断された場合であるが、この場合には、先ず、ステップＳ３において、メンテナンスを実行する基準となる掃除機構Yの動作回数（即ち、メンテナンス基準量）を、予め設定された二つの値「Ｎａ１」、「Ｎａ２」のうちから選択する。
【００６６】
ここで、このメンテナンスを実行する基準となる掃除機構Yの動作回数、即ち、メンテナンス基準量となる掃除機構Yの二つの動作回数「Ｎａ１」、「Ｎａ２」は、例えば、掃除機構Yの動作間隔に応じてそれぞれ設定されるもので、例えば、掃除機構Yを１日１回動作させる場合における動作回数「Ｎａ１」と、掃除機構Yを１週に１回動作させる場合における動作回数「Ｎａ２」として設定されるものである。この場合、前者「Ｎａ１」は、掃除運転の頻度が高く、上記掃除機構Yの１回の動作で捕集されるゴミの量が少ない場合の動作回数であり、後者「Ｎａ２」は、掃除運転の頻度が低く、上記掃除機構Yの１回の動作で捕集されるゴミの量が多い場合の動作回数であり、従って、これら両者間には、「Ｎａ１  ＞  Ｎａ２」の関係がある。尚、後述する手動動作における動作回数「Ｎｂ１」、「Ｎｂ２」も、上記自動動作の場合における動作回数「Ｎａ１」、「Ｎａ２」と同様に、メンテナンス告知の間隔に基づいて設定される。
【００６７】
次に、ステップＳ４において、選択された動作回数「Ｎａ１」又は「Ｎａ２」と上記累積動作回数「Ｎｔ」を対比する。そして、「Ｎａ１」又は「Ｎａ２」が、累積動作回数「Ｎｔ」に達した場合には、メンテナンスの必要性が生じたと判断し、メンテナンスの必要性を告知する（ステップＳ１１）とともに、累積動作回数「Ｎｔ」をリセット（ステップＳ１２）した後、リターンし、次回の動作に備える。
【００６８】
これに対して、ステップＳ４において、「Ｎａ１」又は「Ｎａ２」が、累積動作回数「Ｎｔ」に達していないと判断される場合は、上記ダストボックス２０へのゴミの捕集が許容される状態であるので、次にステップＳ５で、その後、上記掃除機構Yの掃除運転が実行されたかどうかを判定し、掃除運転が実行された場合には、ステップＳ６において累積動作回数「Ｎｔ」を「Ｎｔ＋１」とインクリメントした後、ステップＳ４にリターンする。そして、「Ｎａ１」又は「Ｎａ２」が上記累積動作回数「Ｎｔ」に達するまで、制御を繰り返し（ステップＳ４〜ステップＳ６）、「Ｎａ１」又は「Ｎａ２」が、累積動作回数「Ｎｔ」に達した時点で、メンテナンスの必要性を告知する（ステップＳ１１）とともに、累積動作回数「Ｎｔ」をリセット（ステップＳ１２）してリターンし、次回の動作に備える。
【００６９】
ここで、ステップＳ２において手動動作であると判断された場合の制御は、ステップＳ７における動作回数「Ｎｂ１」又は「Ｎｂ２」の値が、上述の自動動作の場合における動作回数「Ｎａ１」又は「Ｎａ２」と異なるのみで、制御そのものは同じなので、自動動作の場合の説明を援用し、ここでの説明を省略する。
【００７０】
尚、自動動作の場合の動作間隔（即ち、メンテナンス告知の間隔）と、手動動作の場合のメンテナンス告知の間隔を同じに設定した場合でも、自動動作時の動作回数「Ｎａ１」と手動動作時の動作回数「Ｎｂ１」、又は自動動作時の動作回数「Ｎａ２」と手動動作時の動作回数「Ｎｂ２」は、「Ｎａ１＞Ｎｂ１」、「Ｎａ２＞Ｎｂ２」となるように設定される。これは、自動動作の場合はメンテナンス告知の都度、定期的に掃除運転が行なわれるので１回の掃除運転当りのゴミの量は少ないが、手動動作の場合は上述のように必ずしもメンテナンス告知の都度掃除運転が行なわれるものではないため１回の掃除運転当りのゴミの量は、自動動作の場合よりも多いものと考えられるからである。
【００７１】
以上のように、この実施形態のメンテナンス制御によれば、上記ダストボックス２０に溜まるゴミの量を判断しその量が予め設定されたメンテナンス基準量に達したときメンテナンス信号を出力するとともに、このメンテナンス信号を受けて上記ダストボックス２０のメンテナンスを告知し、操作者のメンテナンスの実行を喚起するものであることから、
例えば、従来のように、空調運転の運転積算時間からフィルタに溜まったゴミの量を推測し、これに基づいてダストボックスのメンテナンスを告知する構成のように、フィルタの掃除頻度の高低による不適切な判断が生じず、ダストボックス２０のメンテナンスの告知をより適切なタイミングで行なうことができ、その結果、不必要なメンテナンスの実行に伴い空調運転が停止されることによる室内空調の快適性の低下とか、ダストボックス２０にゴミが過度に溜まってゴミが室内へ飛散することによる室内環境の悪化等が防止され、それだけ空気調和機の性能特性の向上が期待できるものである。
【００７２】
尚、上記実施形態では、壁掛型の空気調和機（室内機）を例にとって説明したが、本願発明はこれに限定されるものではなく、例えば、天井埋込型、床置型等の空気調和機にも適用できることは言うまでも無い。
【図面の簡単な説明】
【００７３】
【図１】本願発明の形態に係る空気調和機の外観斜視図である。
【図２】図１のＩＩ−ＩＩ拡大断面図である。
【図３】図１に示した空気調和機においてケーシングを取外した状態の外観斜視図である。
【図４】図２のＩＶ部分の拡大断面図である。
【図５】フィルタの駆動機構を示す斜視図である。
【図６】フィルタの斜視図である。
【図７】図１に示したブラシ機構の外観斜視図である。
【図８】図１に示した空気調和機の機能ブロック図である。
【図９】ダストボックスのメンテナンスに関する制御フローチャートである。
【符号の説明】
【００７４】
１      ・・ケーシング
２      ・・前面パネル
３      ・・吸込口
４      ・・吹出口
７      ・・熱交換器
８      ・・ファン
１０    ・・ベルト
１１    ・・第１プーリ
１２    ・・第２プーリ
１３    ・・フィルタ
１４    ・・掃除ユニットケーシング
１５    ・・側壁部
１６    ・・側壁部
１７    ・・掃除ブラシ
１８    ・・ブラシ軸
１９    ・・ブラシ
２０    ・・ダストボックス
２１    ・・第１ボックス体
２２    ・・第２ボックス体
２３    ・・押釦
２４    ・・ブラシ駆動ギヤ
２５    ・・防滴カバー
２８    ・・パネル開閉駆動モータ
２９    ・・ギヤ
３１    ・・フィルタ駆動モータ
３３    ・・ローラ
３８    ・・連結軸
４３    ・・フィルタ押さえ
４４    ・・水平フラップ
４５    ・・垂直フラップ
４７    ・・係止穴
４８    ・・係止突起
Ｑ    ・・ブラシ機構
Ｘ    ・・空調機構
Ｙ    ・・掃除機構
Ｚ    ・・空気調和機
【図１】
2008082566.tif 000003
【図２】
2008082566.tif 000004
【図３】
2008082566.tif 000005
【図４】
2008082566.tif 000006
【図５】
2008082566.tif 000007
【図６】
2008082566.tif 000008
【図７】
2008082566.tif 000009
【図８】
2008082566.tif 000010
【図９】
2008082566.tif 000011
【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
ケーシング（１）に形成された吸込口（３）から吹出口（４）に至る通風路内に、熱交換器（７）とファン（８）を配置した空調機構（X）と、上記吸込口（３）の内面に沿って配置された板状形体をもつフィルタ（１３）の表面に付着したゴミをダストボックス（２０）内に捕集するようにした掃除機構（Y）を備えてなる空気調和機であって、
上記掃除機構（Y）の動作回数に基づいて上記ダストボックス（２０）内のゴミの量を判断し、その量が予め設定されたメンテナンス基準量に達したときメンテナンス信号を出力する判断手段と、
上記判断手段からのメンテナンス信号を受けて上記ダストボックス（２０）のメンテナンスを告知する告知手段を備えたことを特徴とする空気調和機。
【請求項２】
ケーシング（１）に形成された吸込口（３）から吹出口（４）に至る通風路内に、熱交換器（７）とファン（８）を配置した空調機構（X）と、上記吸込口（３）の内面に沿って配置された板状形体をもつフィルタ（１３）の表面に付着したゴミをダストボックス（２０）内に捕集するようにした掃除機構（Y）を備えてなる空気調和機であって、
上記掃除機構（Y）の動作間隔を考慮して上記ダストボックス（２０）内のゴミの量を判断し、その量が予め設定されたメンテナンス基準量に達したときメンテナンス信号を出力する判断手段と、
上記判断手段からのメンテナンス信号を受けて上記ダストボックス（２０）のメンテナンスを告知する告知手段を備えたことを特徴とする空気調和機。
【請求項３】
請求項１又は２において、
上記メンテナンス基準量が上記掃除機構（Y）の動作回数で規定されることを特徴とする空気調和機。
【請求項４】
請求項２又は３において、
上記掃除機構（Y）の動作間隔が複数設定される場合、該複数の動作間隔のそれぞれに対応して上記メンテナンス基準量も複数設定されることを特徴とする空気調和機。
【請求項５】
請求項１、２、３又は４において、
上記メンテナンス基準量が、上記掃除機構（Y）の動作を、上記告知を受けて自動で行なう自動動作時と、上記告知を受けて手動で行なう手動動作時で異なる量に設定されることを特徴とする空気調和機。
【手続補正２】
【補正対象書類名】明細書
【補正対象項目名】全文
【補正方法】変更
【補正の内容】
【発明の詳細な説明】
【技術分野】
【０００１】
本願発明は、空調機構に、フィルタの掃除機構を付加してなる空気調和機に関するものである。
【背景技術】
【０００２】
従来から、フィルタを自動的に掃除する掃除機構を備えた空気調和機が知られている（特許文献１参照）。この空気調和機におけるフィルタの掃除機構は、空気吸入口の内面に沿って往復動自在に配置された板状のフィルタを、該フィルタの移動経路中に配置したダストボックス内を通過させるとともに、該ダストボックス内において該フィルタの表裏両面に配置したブラシによって、該フィルタの表面に付着したゴミを除去することで該フィルタの機能再生を図るようにしたものである。そして、ダストボックス内に溜まったゴミの量が多くなると、該ダストボックスを取外してゴミを捨てた後、再度これを装着するメンテナンス作業が必要となる。
【０００３】
この場合、メンテナンス作業の必要性を判断するには、ダストボックスに溜まるゴミの量を直接検知するのが最善な手法であるが、係る手法では、ゴミの特性等から、特殊なセンサを必要とするなど、コスト面等からして実現は困難である。
【０００４】
このため、次善策として、上掲特許文献１に示された空気調和機では、空調運転の運転積算時間（即ち、フィルタにおける積算通風時間）に基づいてフィルタに溜まるゴミの量を推測することを基本思想とし、その上で、運転積算時間が所定値以上となったときには、ダストボックスにも所定量以上のゴミが溜まっておりメンテナンスが必要であると判断する手法が提案されている。
【０００５】
【特許文献１】特開２００４−１０１１０１号公報。
【発明の開示】
【発明が解決しようとする課題】
【０００６】
しかし、フィルタに溜まるゴミの量は空調運転の運転積算時間と必ずしも相関するものではなく、例えば、フィルタを掃除する頻度によって大きく変化するものである。
【０００７】
即ち、フィルタの掃除頻度が高ければ、ゴミによるフィルタの目詰まりが少なく、フィルタは常に設計性能に近いフィルタ機能を発揮し、予定された以上に細かいゴミは捕集されない。これに対して、フィルタの掃除頻度が低ければ、ゴミによるフィルタの目詰まりが多くなり、その結果、フィルタは本来予定された以上に細かいゴミまで捕集することとなり、その分だけフィルタに溜まるゴミの量が多くなるものである。
【０００８】
従って、単に、空調運転の運転積算時間に基づいてダストボックスのメンテナンス時期を判断したのでは、現実に即した適切は判断ができず、例えば、ダストボックスに溜まったゴミの量が少ないにも拘らずメンテナンス時期の到来を告知したり、逆にダストボックスに多量のゴミが溜まっているにも拘らずメンテナンス時期の到来を告知せず、場合によってはダストボックスから室内にゴミが飛散して室内環境の悪化を招来するということも考えられる。
【０００９】
そこで本願発明は、ダストボックスに溜まったゴミの量を現実に即してより的確に判断してダストボックスのメンテナンス時期の到来を適切なタイミングで告知し、もってフィルタ掃除機能を備えた空気調和機の機能維持を図ることを目的としてなされたものである。
【課題を解決するための手段】
【００１０】
本願発明ではかかる課題を解決するための具体的手段として次のような構成を採用している。
【００１１】
本願の第１の発明では、ケーシング１に形成された吸込口３から吹出口４に至る通風路内に、熱交換器７とファン８を配置した空調機構Xと、上記吸込口３の内面に沿って配置された板状形体をもつフィルタ１３の表面に付着したゴミをダストボックス２０内に捕集するようにした掃除機構Yを備えてなる空気調和機において、上記掃除機構Yの動作回数に基づいて上記ダストボックス２０内のゴミの量を判断し、その量が予め設定されたメンテナンス基準量に達したときメンテナンス信号を出力する判断手段と、上記判断手段からのメンテナンス信号を受けて上記ダストボックス２０のメンテナンスを告知する告知手段を備えたことを特徴としている。
【００１２】
本願の第２の発明では、ケーシング１に形成された吸込口３から吹出口４に至る通風路内に、熱交換器７とファン８を配置した空調機構Xと、上記吸込口３の内面に沿って配置された板状形体をもつフィルタ１３の表面に付着したゴミをダストボックス２０内に捕集するようにした掃除機構（Y）を備えてなる空気調和機において、上記掃除機構Yの動作間隔を考慮して上記ダストボックス２０内のゴミの量を判断し、その量が予め設定されたメンテナンス基準量に達したときメンテナンス信号を出力する判断手段と、上記判断手段からのメンテナンス信号を受けて上記ダストボックス２０のメンテナンスを告知する告知手段を備えたことを特徴としている。
【００１３】
本願の第３の発明では、上記第１又は第２の発明に係る空気調和機において、上記メンテナンス基準量を上記掃除機構Yの動作回数で規定することを特徴としている。
【００１４】
本願の第４の発明では、上記第２又は第３の発明に係る空気調和機において、上記掃除機構Yの動作間隔が複数設定される場合、該複数の動作間隔のそれぞれに対応して上記メンテナンス基準量も複数設定することを特徴としている。
【００１５】
本願の第５の発明では、上記第１、第２、第３又は第４の発明に係る空気調和機において、上記メンテナンス基準量を、上記掃除機構Yの動作を、上記告知を受けて自動で行なう自動動作時と、上記告知を受けて手動で行なう手動動作時で異なる量に設定することを特徴としている。
【発明の効果】
【００１６】
本願発明では次のような効果が得られる。
【００１７】
（ａ）本願の第１の発明に係る空気調和機では、上記ダストボックス２０に溜まるゴミの量を判断しその量が予め設定されたメンテナンス基準量に達したときメンテナンス信号を出力する判断手段と、上記判断手段からのメンテナンス信号を受けて上記ダストボックス２０のメンテナンスを告知する告知手段を備えている。
【００１８】
従って、この発明の空気調和機によれば、上記判断手段により上記ダストボックス２０に溜まるゴミの量を判断し、この判断に基づいて上記告知手段がメンテナンスを告知することから、例えば、従来のように、空調運転の運転積算時間からフィルタに溜まったゴミの量を推測し、これに基づいてダストボックスのメンテナンスを告知する構成のように、フィルタの掃除頻度の高低による不適切な判断が生じないことから、ダストボックス２０のメンテナンスの告知をより適切なタイミングで行なうことができ、その結果、不必要なメンテナンスの実行に伴い空調運転が停止されることによる室内空調の快適性の低下とか、ダストボックス２０にゴミが過度に溜まってゴミが室内へ飛散することによる室内環境の悪化等が防止され、それだけ空気調和機の性能特性の向上が期待できる。
【００１９】
また、この発明に係る空気調和機によれば、上記判断手段が、上記掃除機構Yの動作回数に基づいて上記ダストボックス２０内のゴミの量を判断するように構成しているので、上記掃除機構Yの１回の動作によって上記ダストボックス２０側に捕集されるゴミの量と、該掃除機構Yの動作回数との相関から、上記ダストボックス２０内のゴミの量を判断してメンテナンスの告知を行なうことができ、例えば、従来のように、空調運転の運転積算時間からフィルタに溜まったゴミの量を推測し、これに基づいてダストボックスのメンテナンスの告知を行なう構成の場合に比して、上記ダストボックス２０内のゴミの量の判断ロジックがより簡略化され、延いては、掃除機構Yの低コスト化が促進される。
【００２０】
（ｂ）本願の第２の発明に係る空気調和機では、上記ダストボックス２０に溜まるゴミの量を判断しその量が予め設定されたメンテナンス基準量に達したときメンテナンス信号を出力する判断手段と、上記判断手段からのメンテナンス信号を受けて上記ダストボックス２０のメンテナンスを告知する告知手段を備えている。
【００２１】
従って、この発明の空気調和機によれば、上記判断手段により上記ダストボックス２０に溜まるゴミの量を判断し、この判断に基づいて上記告知手段がメンテナンスを告知することから、例えば、従来のように、空調運転の運転積算時間からフィルタに溜まったゴミの量を推測し、これに基づいてダストボックスのメンテナンスを告知する構成のように、フィルタの掃除頻度の高低による不適切な判断が生じないことから、ダストボックス２０のメンテナンスの告知をより適切なタイミングで行なうことができ、その結果、不必要なメンテナンスの実行に伴い空調運転が停止されることによる室内空調の快適性の低下とか、ダストボックス２０にゴミが過度に溜まってゴミが室内へ飛散することによる室内環境の悪化等が防止され、それだけ空気調和機の性能特性の向上が期待できる。
【００２２】
また、この発明に係る空気調和機によれば、上記判断手段が、上記掃除機構Yの動作間隔を考慮して上記ダストボックス２０内のゴミの量を判断する構成であるため、上記掃除機構Yの動作間隔と該掃除機構Yの１回の動作で上記フィルタ１３側から上記ダストボックス２０側に捕集されるゴミの量との間には、上記掃除機構Yの動作間隔が短い場合は上記ダストボックス２０側に捕集されるゴミの量が少なく、動作間隔が長い場合はゴミの量が多くなるという関係があることからして、上記掃除機構Yの動作間隔の長短による影響を可及的に排除して、上記ダストボックス２０に実際に溜まっているゴミの量をより精度良く検知することができる。
【００２３】
（ｃ）本願の第３の発明に係る空気調和機によれば、上記メンテナンス基準量を上記掃除機構Yの動作回数で規定しているので、上記ダストボックス２０内のゴミの量の判断と、メンテナンス基準量に基づくメンテナンス告知の判断との対応が明確であり、その結果、より簡略化された判断ロジックで正確にメンテナンスを告知することができ、上記（a）又は（ｂ）に記載の効果が更に確実ならしめられる。
【００２４】
（ｄ）本願の第４の発明に係る空気調和機によれば、上記掃除機構Yの動作間隔が複数設定される場合、該複数の動作間隔のそれぞれに対応して上記メンテナンス基準量も複数設定されるように構成しているので、例えば、空気調和機の使用者が上記掃除機構Yの動作間隔として、１日に１回の掃除運転と、１週に１回の掃除運転とをそれぞれ設定している場合に、上記メンテナンス基準量として、前者に対応する上記掃除機構Yの動作回数を、後者に対応する動作回数より多い回数に設定することで、使用者の要求に対応した精度の良いメンテナンスの告知が実現され、上記（ｂ）又は（ｃ）に記載の効果がより一層促進される。
【００２５】
（ｅ）本願の第５の発明に係る空気調和機によれば、上記（a）、（ｂ）、（ｃ）又は（ｄ）に記載の効果に加えて、以下のような特有の効果が得られる。即ち、この第５の発明に係る空気調和機では、上記メンテナンス基準量を、上記告知を受けて自動で行なう自動動作時（即ち、上記掃除機構Yの１回の動作で上記ダストボックス２０側に捕集されるゴミの量が安定しているとき）と、上記告知を受けて手動で行なう手動動作時（即ち、上記掃除機構Yの１回の動作で上記ダストボックス２０側に捕集されるゴミの量が上記告知に基づく手動での掃除の実行頻度等によって変化し易いとき）で、異なる量に設定するようにしているので、上記掃除機構Yの操作形態に適応したメンテナンスの告知が実現される。
【発明を実施するための最良の形態】
【００２６】
以下、本願発明を好適な実施形態に基づいて具体的に説明する。
【００２７】
図１及び図２には、本願発明の実施形態に係る空気調和機Zが示されている。この空気調和機Ｚは、セパレート型空気調和機の室内機であって、室内壁面に取付けられる横長箱状のケーシング１を備えている。また、上記ケーシング１の前面壁１Aと天面壁１Bにはそれぞれ前面吸込口３Aと上面吸込口３Bが設けられている。また、上記前面吸込口３Aの前面側には、前面パネル２が設けられている。
【００２８】
この前面パネル２は、図１及び図２においてそれぞれ実線図示するように、上記前面吸込口３Aに接近して該前面吸込口３Aを目隠しする閉位置と、同各図においてそれぞれ鎖線図示するように、上記閉位置から下方へ移動しつつその上端側を前方へ押し出した前傾状態の開位置の間で開閉可能とされ、該開位置において上記前面吸込口３Aを開口するように構成されている。
【００２９】
また、上記ケーシング１の底面壁１Cの前後方向中間位置には、横長開口状の吹出口４が設けられているとともに、該吹出口４には水平フラップ４４と垂直フラップ４５が備えられている。
【００３０】
さらに、上記ケーシング１の上記吹出口４よりも前方側で、且つ上記前面壁１Aの下端に近接する位置に設けた収納部３０内には、後述するダストボックス２０を備えたブラシ機構Ｑが着脱自在に装着されている。
【００３１】
そして、図２に示すように、上記ケーシング１内の上記吸込口３から上記吹出口４に至る通風路には熱交換器７とファン８が収容され、これらによって空調機構Xが構成されている。尚、上記熱交換器７は、上記吸込口３に離間対向して上下方向へ延びる第１熱交換器７Ａと、該第１熱交換器７Ａの上端に連結されてここから背面壁１E側へ下降傾斜する第２熱交換器７Ｂとからなる略山形の屈曲形体を有している。
【００３２】
一方、上記ケーシング１の上記前面吸込口３Aと上記第１熱交換器７Ａの前面との間の前面側スペースと、上記第１熱交換器７Ａと第２熱交換器７Ｂの上部と上記上面吸込口３Bとの間の上面側スペースには、これら両スペースに跨って次述する掃除機構Yが配置されている。
【００３３】
上記掃除機構Yは、図２〜図４に示すように、反対勝手に形成された左右一対のケーシング体１４Ａ、１４Bを、その幅方向に連結一体化して構成されるものであって、この一体化状態において、上記ケーシング１の前面吸込口３Aから上面吸込口３Bの内面に沿うように湾曲した側面視形体を有している。即ち、上記各ケーシング体１４Ａ、１４Bは、共に、湾曲した側面視形体をもつ左右一対の側壁部１５，１６と、これら各側壁部１５，１６の間を格子材で連結して一体化した枠状形体をもち、第１ケーシング体１４Ａの側壁部１６と、第２ケーシング体１４Bの側壁部１６同士を衝合させた状態で連結することで上記掃除ユニットケーシング１４が構成されている。
【００３４】
また、上記各ケーシング体１４Ａ、１４Bの上記各側壁部１５，１６の内側縁のうち、上記ケーシング１の上記上面吸込口３Bに対応する部分には、それぞれガイド溝１５a,１６aが設けられている。一方、上記各ケーシング体１４Ａ、１４Bのうち、上記ケーシング１の前面吸込口３Ａに対応する前面部分のそれぞれには、これをその外側（前面側）から覆うようにして、枠状のフィルタ押さえ４３が、その上縁側を回動中心として前後方向へ回動可能に取付けられている。
【００３５】
そして、上記掃除ユニットケーシング１４の上記各ケーシング体１４Ａ、１４Bの前面側には、それぞれこれを覆うようにして、格子状の枠体１３aの内側にフィルタ１材１３ｂを張設してなる板状のフィルタ１３（図６参照）が配置される。この場合、上記フィルタ１３は、上記各ケーシング体１４Ａ、１４Bの上面側においては、その左右両縁部を上記一方の側壁部１５のガイド溝１５aと他方の側壁部１６のガイド溝１６aに嵌入させており、該各ガイド溝１５a、１６aにガイドされて上記各ケーシング体１４Ａ、１４Bの湾曲方向に沿って移動可能とされている。また、上記フィルタ１３は、上記各ケーシング体１４Ａ、１４Bの前面部分においては、上記フィルタ押さえ４３によって浮き上がりが防止されるようになっている。
【００３６】
上記フィルタ１３は、図２、図４及び図５に示すように、その前端１３ｃが、上記各ケーシング体１４Ａ、１４Bの前面部分において、上下方向に離間して平行配置された第１プーリ１１と第２プーリ１２の間に掛け回されたベルト１０に係止され、該ベルト１０の走行に伴ってこれと一体的に移動される。
【００３７】
即ち、上記フィルタ１３は、図２及び図３に示すように、その後端１３aが上記掃除ユニットケーシング１４の後端部に位置し、その前端が上記第１プーリ１１の近傍に位置するような配置状態を基本とする。この配置状態は、通常の空調運転時における位置であり、以下、「第１フィルタ位置」という。
【００３８】
これに対して、上記フィルタ１３の掃除を行なう掃除運転時には、上記第１プーリ１１が正転し、上記ベルト１０が矢印a方向へ走行し、上記フィルタ１３は図４に鎖線図示するように、該ベルト１０とともに上記「第１フィルタ位置」から上記第１プーリ１１の外側を迂回して上記第２プーリ１２側まで引き出される。この時のフィルタ１３の位置を「第２フィルタ位置」という。また、上記第１プーリ１１が逆転し上記ベルト１０が矢印ｂ方向へ走行することで、上記フィルタ１３は該ベルト１０とともに上記「第２フィルタ位置」から「第１フィルタ位置」まで戻される。
【００３９】
このように、上記フィルタ１３が上記「第１フィルタ位置」と「第２フィルタ位置」の間で往復動する際に、次述のブラシ機構Ｑによって上記フィルタ１３の表面に捕集されたゴミが掻き落とされ、該フィルタ１３のゴミ捕集機能が再生されるものである。
【００４０】
ここで、上記フィルタ１３の駆動機構を更に詳しく説明する。この駆動機構は、図５に示すように、上下方向に離間配置された歯付きの第１プーリ１１と第２プーリ１２間に歯付きのベルト１０を掛け回したベルトユニットUを、上記各プーリ１１，１２の軸方向に所定間隔（具体的には、上記ケーシング体１４Ａ、１４Bの略幅寸法）をもって対向配置するとともに、一方のベルトユニットUの第１プーリ１１と他方のベルトユニットUの第１プーリ１１の間をローラ３３によって連結しこれを一体化するとともに、一方のベルトユニットUの第２プーリ１２と他方のベルトユニットUの第２プーリ１２の間を連結軸３８によって連結しこれを一体化して構成せれる。そして、一方のベルトユニットUの第１プーリ１１をフィルタ駆動モータ３１によって正転方法及び逆転方向へ選択的に回転駆動することで、上記各ベルトユニットU、Uにそれぞれ設けられた上記各ベルト１０，１０が同期して走行するようになっている。
【００４１】
この場合、上記ベルト１０には、所定ピッチで、ベルト長さ方向に長軸をもつ係止穴４７が形成されている。また、上記フィルタ１３の枠材１３aの左右両側部の下面には、上記ベルト１０側の上記係止穴４７と同ピッチで係止突起４８が設けられており、該フィルタ１３側の上記係止突起４８を上記ベルト１０側の上記係止穴４７に係入させることで、該フィルタ１３は上記ベルト１０と一体化され、該ベルト１０の往復走行に伴って上記「第１フィルタ位置」と上記「第２フィルタ位置」の間で往復動される。
【００４２】
上記ブラシ機構Ｑは、図１〜図４に示すように、上記ケーシング１の底面壁１Cの前端部分に設けた収納部３０に対して着脱自在に取付けられる。このブラシ機構Ｑは、図４及び図７に示すように、第１ボックス体２１と第２ボックス体２２からなり、上記第１プーリ１１の外周面に対向する上面部分が開口２０aとされた横長箱状形体のダストボックス２０内に、掃除ブラシ１７を上記開口２０aに沿って配置して構成される。
【００４３】
上記掃除ブラシ１７は、ブラシ軸１８の外周面の周方向の４位置に、該ブラシ軸１８の軸方向へ延出するようにしてそれぞれブラシ１９を取付けて構成される。この場合、この実施形態では、上記掃除ブラシ１７の軸長を、上記ダストボックス２０の長手寸法の略半分の寸法に設定し、二本の掃除ブラシ１７、１７を同軸上に連結して使用するようにしている。
【００４４】
このように構成された一対の掃除ブラシ１７，１７を、図７に示すように、上記ダストボックス２０に配置し、その一方の軸端に設けたブラシ駆動ギヤ２４をブラシ駆動モータ（図示省略）によって回転駆動するようになっている。尚、図７では、上記ダストボックス２０の一端側に押釦２３を図示しているが、この押釦２３は上記収納部３０側に取付けられるものであり、ここでは上記ブラシ機構Ｑとの位置関係を明確にするために便宜的に図示したものである。
【００４５】
図４には、上記ブラシ機構Ｑを上記ケーシング１側の収納部３０に装着した状態を示している。この状態では、上記ダストボックス２０の上記開口２０aが、上記第１プーリ１１に巻き掛けられた上記ベルト１０に臨むとともに、該開口２０aを通して上記掃除ブラシ１７の回転軌跡が上方へ延出し、該回転軌跡の最高位部位と上記ベルト１０の外面の最低位部位とが略合致するように、これらの相対位置が設定されている。
【００４６】
従って、掃除運転において、上記フィルタ１３が上記第１プーリ１１に巻き掛けられた上記ベルト１０とともに該第１プーリ１１の外周側を迂回して「第１フィルタ位置」と「第２フィルタ位置」の間で往復動される際、上記掃除ブラシ１７を回転させることで、該掃除ブラシ１７のブラシ１９によって上記フィルタ１３の表面が撫掻され、該フィルタ１３の表面に付着しているゴミが該表面から掻き取られ、上記ダストボックス２０内に捕集される。この結果、上記フィルタ１３は、その表面が清浄化され、そのゴミ捕集機能が再生されるものである。
【００４７】
また、この場合、図４に示すように、上記掃除ブラシ１７の回転軌跡が上記ダストボックス２０内に設けた延出リブ２０ｂの先端部分と重合していることから、上記掃除ブラシ１７の回転時には上記ブラシ１９の先端部分が上記延出リブ２０ｂに接触し、該ブラシ１９側に付着しているゴミが掻き落とされる。この結果、上記ブラシ１９の掻き取り機能が再生され、例えば、フィルタ１３側からブラシ１９によって掻き取られたゴミがそのまま該ブラシ１９側に残留して上記フィルタ１３の既に掃除された部分に再付着するというような不都合が回避される。
【００４８】
ところで、上記ブラシ機構Ｑにおいては、上記掃除ブラシ１７のブラシ１９によって上記フィルタ１３側から掻き落としたゴミを上記ダストボックス２０内に捕集するが、このダストボックス２０内に捕集されたゴミの量が多くなると、このゴミが上記ケーシング１とダストボックス２０の隙間から室内へ飛散して室内環境を悪化させる虞があることから、その場合には、上記ダストボックス２０を上記収納部３０側から取り出してゴミを捨て、再度、これを上記収納部３０に再装着するメンテナンス作業が必要となる。
【００４９】
しかし、このメンテナンス作業は、その実行タイミングが重要で、例えば、上記ダストボックス２０に溜まったゴミの量が少ない状態においてメンテナンス作業が頻繁に行なわれると、該作業中は空調運転が停止されることから、空調の快適性が損なわれることになる。また、逆に、上記ダストボックス２０内に多量のゴミがたまっているにも拘らずメンテナンス作業が行なわれないと、ゴミの飛散による室内環境の悪化を招く等のことは、既述の通りである。
【００５０】
そこで、この実施形態では、本願発明を適用して、上記ダストボックス２０内に溜まったゴミの量を適正に検知し、その量が予め設定したメンテナンス基準量に達したときには、これを告知して、メンテナンス作業の実行を喚起するようにしている。
【００５１】
ここで、このダストボックス２０のメンテナンスの告知制御の基本思想であるが、この実施形態では、
（１）  上記ダストボックス２０内のゴミの量の判断ロジックをより簡略化すべく、該ダストボックス２０内のゴミの量を、上記掃除機構Yの動作回数（即ち、掃除運転の実行回数）によって判断する、
（２）上記ダストボックス２０内のゴミの量の判断と、メンテナンス基準量に基づくメンテナンス告知の判断との対応を明確にして、より簡略化された判断ロジックで正確にメンテナンス告知を行なうべく、メンテナンス基準量も、上記掃除機構Yの動作回数で規定する、
（３）  上記掃除機構Yの動作間隔と該掃除機構Yの１回の動作で上記ダストボックス２０側に捕集されるゴミの量との間の相関関係に着目し、上記ダストボックス２０内のゴミの量をより精度良く検知すべく、上記ダストボックス２０内のゴミの量の判断に際して、上記掃除機構Yの動作間隔（即ち、掃除運転の頻度）を考慮する、
（４）  掃除運転に対する使用者の要求に的確に対応して精度の良いメンテナンス告知を実現すべく、上記掃除機構Yの動作間隔が複数設定される場合には、これら各動作間隔に対応してメンテナンス基準量も複数設定する、
（５）  上記掃除機構Yの操作形態に対応したメンテナンス告知を実現すべく、メンテナンス基準量を、掃除運転が自動で定期的に行われる場合と、手動で不定期に行なわれる場合とにおいて、異なる値に設定する、
ことをメンテナンス告知制御における基本思想としている。
【００５２】
以下、これらの基本思想の下での制御の実際を説明するが、それに先立って、先ず、図８を参照して、上記空気調和機Ｚの制御系の構成を説明する。
【００５３】
この空気調和機Ｚでは、制御部として、室内機制御部１５１と室外機制御部１５２と空調機構Xを制御する空調機構制御部１５３と掃除機構Yを制御する掃除機構制御部１５４と加湿・換気制御部１５５を備えている。
【００５４】
上記室内機制御部１５１には、空調運転制御部１５１aと掃除機構異常判定部１５１ｂと掃除機構初期化処理部１５１ｃとフィルタ掃除時期判定部１５１ｄと掃除機構制御部１５１eとダストボックスメンテナンス判定部１５１ｆが設けられている。
【００５５】
上記空調機構制御部１５３には、前面パネル駆動部１５３aと水平フラップ駆動部１５３ｂと垂直フラップ駆動部１５３ｃとファン駆動部１５３ｄが設けられている。
【００５６】
上記掃除機構制御部１５４には、ブラシ駆動部１５４aとフィルタ駆動部１５４ｂとフィルタ位置検知部１５４ｃとダストボックス検知部１５４ｄ及び掃除機構動作検知部１５４ｅが設けられている。
【００５７】
また、上記室内機制御部１５１は、リモコン１５６と本体運転スイッチ１５７によって操作されるとともに、表示部１５８とブザー１５９及び遠隔操作装着６０が付設されている。
【００５８】
ここで、上記ダストボックス２０のメンテナンスとの関係でその制御が問題となるのは、上記室内機制御部１５１と上記掃除機構制御部１５４の掃除機構動作検知部１５４ｅ、表示部１５８、ブザー１５９及び遠隔操作装置１６０であり、ここではこれらについてのみ説明し、これ以外の制御部の説明は省略する。
【００５９】
この実施形態では、上記掃除機構動作検知部１５４ｅにおいて、掃除機構Yの動作回数を検知する。そして、上記室内機制御部１５１の上記ダストボックスメンテナンス判定部１５１ｆでは、上記掃除機構動作検知部１５４ｅからの動作回数信号を受け、その動作回数からダストボックス２０内に溜まっているゴミの量を判断し、このゴミの量とメンテナンス基準量に対応するゴミの量とを比較し、ダストボックス２０のメンテナンスが必要な時期に至っているかどうかを判定する。即ち、この実施形態では、上記ダストボックスメンテナンス判定部１５１ｆが、特許請求の範囲中の「判定手段」に該当する。
【００６０】
ここで、既にメンテナンスが必要な時期に至っていると判断された場合には、このことが、上記表示部１５８における表示、上記ブザー１５９での警報音、及び上記遠隔操作装置１６０への表示等によって、それぞれ告知される。即ち、この実施形態では、上記表示部１５８と上記ブザー１５９及び上記遠隔操作装置１６０が特許請求の範囲中の「告知手段」に該当する。なお、この告知手段としては、上記表示部１５８、上記ブザー１５９及び上記遠隔操作装置１６０の他に、例えば、双方向通信を行なうことができるワイヤレスリモコンとかワイヤードリモコンを用いてこれらに表示、点灯等で告知することも考えられる。
【００６１】
このメンテナンス告知を受けた操作者は、上記ダストボックス２０のメンテナンス、即ち、該ダストボックス２０を空気調和機Ｚ側から取外して、内部に溜まったゴミを捨て、再度これを空気調和機Ｚに装着する作業を行なう。
【００６２】
以上の制御を、図９に示すフローチャートを参照して、より具体的に説明する。
【００６３】
制御開始後、先ずステップS１において、掃除機構Yの現時点までの累積動作回数「Ｎｔ」を読み込む。次に、ステップＳ２において、現在の掃除機構Yの動作形態（即ち、掃除運転の操作形態）が自動動作であるのか、手動動作であるのかを判定する。
【００６４】
ここで、自動動作とは、上記掃除機構Yの掃除運転が定期的に自動で行なわれるように設定された動作形態である。また、手動動作とは、操作者の手動操作によって上記掃除機構Yの掃除運転が不定期に行なわれるように設定された動作形態である。即ち、手動動作の場合には、定期的に操作者に対して掃除の奨励を告知はするが、その告知を認識した操作者が自己の判断に基づいてリモコン操作等で掃除を実行するものであるため、必ずしも定期的に掃除が行なわれるとは言えない。
【００６５】
そして、自動動作の場合には、上記掃除機構Yの１回の動作で上記ダストボックス２０側に捕集されるゴミの量が比較的安定しているが、手動動作の場合には、上記掃除機構Yの１回の動作で上記ダストボックス２０側に捕集されるゴミの量は安定せず変動し易い。そこで、ここでは、自動動作の場合と手動動作の場合におけるゴミの量の相違を考慮して、自動動作の場合におけるメンテナンス告知の判断基準と、手動動作の場合におけるメンテナンス告知の判断基準を異ならせている。
【００６６】
ステップＳ２において、現在は自動動作であると判断された場合であるが、この場合には、先ず、ステップＳ３において、メンテナンスを実行する基準となる掃除機構Yの動作回数（即ち、メンテナンス基準量）を、予め設定された二つの値「Ｎａ１」、「Ｎａ２」のうちから選択する。
【００６７】
ここで、このメンテナンスを実行する基準となる掃除機構Yの動作回数、即ち、メンテナンス基準量となる掃除機構Yの二つの動作回数「Ｎａ１」、「Ｎａ２」は、例えば、掃除機構Yの動作間隔に応じてそれぞれ設定されるもので、例えば、掃除機構Yを１日１回動作させる場合における動作回数「Ｎａ１」と、掃除機構Yを１週に１回動作させる場合における動作回数「Ｎａ２」として設定されるものである。この場合、前者「Ｎａ１」は、掃除運転の頻度が高く、上記掃除機構Yの１回の動作で捕集されるゴミの量が少ない場合の動作回数であり、後者「Ｎａ２」は、掃除運転の頻度が低く、上記掃除機構Yの１回の動作で捕集されるゴミの量が多い場合の動作回数であり、従って、これら両者間には、「Ｎａ１  ＞  Ｎａ２」の関係がある。尚、後述する手動動作における動作回数「Ｎｂ１」、「Ｎｂ２」も、上記自動動作の場合における動作回数「Ｎａ１」、「Ｎａ２」と同様に、メンテナンス告知の間隔に基づいて設定される。
【００６８】
次に、ステップＳ４において、選択された動作回数「Ｎａ１」又は「Ｎａ２」と上記累積動作回数「Ｎｔ」を対比する。そして、「Ｎａ１」又は「Ｎａ２」が、累積動作回数「Ｎｔ」に達した場合には、メンテナンスの必要性が生じたと判断し、メンテナンスの必要性を告知する（ステップＳ１１）とともに、累積動作回数「Ｎｔ」をリセット（ステップＳ１２）した後、リターンし、次回の動作に備える。
【００６９】
これに対して、ステップＳ４において、「Ｎａ１」又は「Ｎａ２」が、累積動作回数「Ｎｔ」に達していないと判断される場合は、上記ダストボックス２０へのゴミの捕集が許容される状態であるので、次にステップＳ５で、その後、上記掃除機構Yの掃除運転が実行されたかどうかを判定し、掃除運転が実行された場合には、ステップＳ６において累積動作回数「Ｎｔ」を「Ｎｔ＋１」とインクリメントした後、ステップＳ４にリターンする。そして、「Ｎａ１」又は「Ｎａ２」が上記累積動作回数「Ｎｔ」に達するまで、制御を繰り返し（ステップＳ４〜ステップＳ６）、「Ｎａ１」又は「Ｎａ２」が、累積動作回数「Ｎｔ」に達した時点で、メンテナンスの必要性を告知する（ステップＳ１１）とともに、累積動作回数「Ｎｔ」をリセット（ステップＳ１２）してリターンし、次回の動作に備える。
【００７０】
ここで、ステップＳ２において手動動作であると判断された場合の制御は、ステップＳ７における動作回数「Ｎｂ１」又は「Ｎｂ２」の値が、上述の自動動作の場合における動作回数「Ｎａ１」又は「Ｎａ２」と異なるのみで、制御そのものは同じなので、自動動作の場合の説明を援用し、ここでの説明を省略する。
【００７１】
尚、自動動作の場合の動作間隔（即ち、メンテナンス告知の間隔）と、手動動作の場合のメンテナンス告知の間隔を同じに設定した場合でも、自動動作時の動作回数「Ｎａ１」と手動動作時の動作回数「Ｎｂ１」、又は自動動作時の動作回数「Ｎａ２」と手動動作時の動作回数「Ｎｂ２」は、「Ｎａ１＞Ｎｂ１」、「Ｎａ２＞Ｎｂ２」となるように設定される。これは、自動動作の場合はメンテナンス告知の都度、定期的に掃除運転が行なわれるので１回の掃除運転当りのゴミの量は少ないが、手動動作の場合は上述のように必ずしもメンテナンス告知の都度掃除運転が行なわれるものではないため１回の掃除運転当りのゴミの量は、自動動作の場合よりも多いものと考えられるからである。
【００７２】
以上のように、この実施形態のメンテナンス制御によれば、上記ダストボックス２０に溜まるゴミの量を判断しその量が予め設定されたメンテナンス基準量に達したときメンテナンス信号を出力するとともに、このメンテナンス信号を受けて上記ダストボックス２０のメンテナンスを告知し、操作者のメンテナンスの実行を喚起するものであることから、
例えば、従来のように、空調運転の運転積算時間からフィルタに溜まったゴミの量を推測し、これに基づいてダストボックスのメンテナンスを告知する構成のように、フィルタの掃除頻度の高低による不適切な判断が生じず、ダストボックス２０のメンテナンスの告知をより適切なタイミングで行なうことができ、その結果、不必要なメンテナンスの実行に伴い空調運転が停止されることによる室内空調の快適性の低下とか、ダストボックス２０にゴミが過度に溜まってゴミが室内へ飛散することによる室内環境の悪化等が防止され、それだけ空気調和機の性能特性の向上が期待できるものである。
【００７３】
尚、上記実施形態では、壁掛型の空気調和機（室内機）を例にとって説明したが、本願発明はこれに限定されるものではなく、例えば、天井埋込型、床置型等の空気調和機にも適用できることは言うまでも無い。
【図面の簡単な説明】
【００７４】
【図１】本願発明の形態に係る空気調和機の外観斜視図である。
【図２】図１のＩＩ−ＩＩ拡大断面図である。
【図３】図１に示した空気調和機においてケーシングを取外した状態の外観斜視図である。
【図４】図２のＩＶ部分の拡大断面図である。
【図５】フィルタの駆動機構を示す斜視図である。
【図６】フィルタの斜視図である。
【図７】図１に示したブラシ機構の外観斜視図である。
【図８】図１に示した空気調和機の機能ブロック図である。
【図９】ダストボックスのメンテナンスに関する制御フローチャートである。
【符号の説明】
【００７５】
１      ・・ケーシング
２      ・・前面パネル
３      ・・吸込口
４      ・・吹出口
７      ・・熱交換器
８      ・・ファン
１０    ・・ベルト
１１    ・・第１プーリ
１２    ・・第２プーリ
１３    ・・フィルタ
１４    ・・掃除ユニットケーシング
１５    ・・側壁部
１６    ・・側壁部
１７    ・・掃除ブラシ
１８    ・・ブラシ軸
１９    ・・ブラシ
２０    ・・ダストボックス
２１    ・・第１ボックス体
２２    ・・第２ボックス体
２３    ・・押釦
２４    ・・ブラシ駆動ギヤ
２５    ・・防滴カバー
２８    ・・パネル開閉駆動モータ
２９    ・・ギヤ
３１    ・・フィルタ駆動モータ
３３    ・・ローラ
３８    ・・連結軸
４３    ・・フィルタ押さえ
４４    ・・水平フラップ
４５    ・・垂直フラップ
４７    ・・係止穴
４８    ・・係止突起
Ｑ    ・・ブラシ機構
Ｘ    ・・空調機構
Ｙ    ・・掃除機構
Ｚ    ・・空気調和機